(57)【要約】【課題】スイッチの操作時にイヤホーン本体の脱落や姿勢不良を招くことなく、スムーズにスイッチ操作を行うことのできるスイッチ一体型のイヤホーンマイクを提供する。【解決手段】イヤホーンマイク１０は、コネクタ１２と、ユーザの耳の耳介の凹凸部に載せ外耳孔に装着するイヤホーン部１４と、コネクタ１２とイヤホーン部１４とを接続するケーブル１６と、で構成され、スイッチ部２４がイヤホーン本体１８の背面に配置されている。スイッチ部２４の操作時にその操作力は外耳内に向かう方向になるので、スイッチ部２４の操作によりイヤホーン本体１８が耳介部分から脱落したり、イヤホーン本体の装着姿勢が崩れたりすることが防止できる。また、スイッチ部２４の操作力が外耳内方向に向くので、スイッチ部２４に操作力を効率的に伝えスムーズな操作を行うことができる。【選択図】図１
0003108296.tif 000002
【実用新案登録請求の範囲】
【請求項１】
外耳孔に装着可能なイヤホーン本体と、
前記イヤホーン本体に連設され、内部にマイクロフォンを内蔵し当該マイクロフォンをイヤホーン本体から所定距離離間させるマイクアーム部と、
前記マイクアーム部から延出され音響機器と接続されるケーブルと、
前記音響機器に対して所定の制御信号を出力するスイッチ部と、
を含み、
前記スイッチ部は、前記イヤホーン本体の背面からマイクアーム部の背面の間のいずれかの位置に配置されていることを特徴とするイヤホーンマイク。
【請求項２】
前記スイッチ部は、前記イヤホーン本体の背面位置に配置されたプッシュスイッチであることを特徴とする請求項１記載のイヤホーンマイク。
【請求項３】
前記スイッチ部は、前記マイクアーム部を指で把持したときに、当該マイクアーム部を把持した手の他の指で操作可能な範囲に配置されていることを特徴とする請求項１または請求項２記載のイヤホーンマイク。
【請求項４】
前記ケーブルは、前記イヤホーン本体を外耳孔に装着したときに前記マイクアーム部が頬に対面する側から延出し、当該ケーブルが湾曲部を形成し垂れ下がることを特徴とする請求項１から請求項３のいずれか１項に記載のイヤホーンマイク。
【考案の詳細な説明】
【技術分野】
【０００１】
本考案は、イヤホーンマイクの操作性向上を行うための改良に関する。
【背景技術】
【０００２】
今日、携帯電話機の普及はめざましいものがあり、操作性向上を行うための様々な技術が提案されている。携帯電話機は、様々なシチュエーションで利用されるようになり、また長時間利用することもしばしばある。このような場合、携帯電話機を把持し、耳に押し当てた状態を長時間続けることは、利用者にとって苦痛の一つである。また、片手が利用できなくなることから、会話中の行動が大きく制限されてしまう。
【０００３】
そこで、最近では、イヤホーンマイクを利用するケースが多くなってきている。例えば、特許公報１には、携帯電話機利用者の外耳孔に装着するイヤホーン本体と、イヤホーン本体と携帯電話機とを接続するケーブルと、そのケーブルの中間位置に配置されたマイクロフォンと、で構成される携帯電話機用のイヤホーンマイクが開示されている。このイヤホーンマイクを用いることにより、携帯電話機による通話中、両手が自由になると共に、携帯電話機を支持したり耳に押し当てるなどの動作が不要になり、通話中の疲労感を大幅に改善することができる。
【０００４】
しかし、ケーブルの中間部にマイクロフォンが存在する場合、その部分がおもりとなり、ケーブルが揺動し易くなり、歩行時などに利用する場合はケーブルの揺れが不快に感じられる場合も出てくる。また、ケーブルの揺れによりイヤホーンが耳から外れ易くなるという問題も生じる。
【０００５】
これに対し、特許文献２には、イヤホーン本体とマイクロフォンとを一体化すると共に、電話回線の開閉を操作するスイッチをイヤホーン本体の上面に設けている例が開示されている。この構成によれば、ケーブルの揺れを抑制することことができると共に、耳元で電話回線の開閉操作などを行うことが可能になり、イヤホーンマイクを装着した携帯電話機をポケットなどに入れたまま通話が可能となり、携帯電話機の操作性が向上する。
【特許文献１】特開２００１−２３８２８４号公報
【特許文献２】特開２０００−３４９８６８号公報
【考案の開示】
【考案が解決しようとする課題】
【０００６】
しかし、イヤホーン本体は、耳介の凹凸部分にはめ込み、実質的には耳介に載せているだけなので、スイッチ操作の際に、装着姿勢が崩れたり、イヤホーン本体が抜け落ちたりして、装着し直さなければならない場合が発生する。また、このように、イヤホーン本体は不安定な状態で耳介の凹凸部分に載っているだけなので、スイッチの配置位置によっては、スイッチの操作、例えば押下操作の際にスムーズに力が伝達できず、スイッチの操作ミスの原因になる場合もあった。
【０００７】
そこで、本考案は、上述の事情を鑑みてなされたものであり、スイッチの操作時にイヤホーン本体の脱落や姿勢不良を招くことなく、スムーズにスイッチ操作を行うことのできるスイッチ一体型のイヤホーンマイクを提供することを目的とする。
【課題を解決するための手段】
【０００８】
本考案のイヤホーンマイクは、外耳孔に装着可能なイヤホーン本体と、イヤホーン本体に連設され、内部にマイクロフォンを内蔵し当該マイクロフォンをイヤホーン本体から所定距離離間させるマイクアーム部と、マイクアーム部から延出され音響機器と接続されるケーブルと、音響機器に対して所定の制御信号を出力するスイッチ部と、を含み、スイッチ部は、イヤホーン本体の背面からマイクアーム部の背面の間のいずれかの位置に配置されていることを特徴とする。
【０００９】
ここで、音響機器とは、イヤホーン本体に音の供給ができものであれば任意であり、例えば、携帯電話機やトランシーバ、通話機能が付加された携帯端末（ＰＡＤ）、録音再生機などの他、マイクロフォンの機能を利用しないラジオやテレビなどでもよい。また、スイッチ部は、例えば最初の操作で音響機器側の電源をオンし、後続する操作で音響機器の電源をオフするなどの操作を行うことができる。また、最初の操作で、通話や録音の開始、後続する操作で、通話や録音の終了とするようにすることができる。
【００１０】
この態様によれば、スイッチ部がイヤホーン本体の背面からマイクアーム部の背面の間のいずれかの位置に配置されているで、スイッチ部の操作時にその操作力は外耳内に向かう方向あるいは頬に向かう方向になるので、スイッチ部の操作によりイヤホーン本体が耳介部分から脱落したり、イヤホーン本体の装着姿勢が崩れたりすることが防止できる。また、スイッチ部の操作力が外耳内方向または頬方向に向くので、スイッチ部に操作力を効率的に伝達でき、スムーズな操作を行うことができる。
【００１１】
また、スイッチ部は、イヤホーン本体の背面位置に配置されたプッシュスイッチであってもよい。この場合、プッシュスイッチの押下力は外耳内に向かうので、イヤホーン本体の脱落や姿勢不良を確実に回避することができる。
【００１２】
また、スイッチ部は、マイクアーム部を指で把持したときに、当該マイクアーム部を把持した手の他の指で操作可能な範囲に配置されているようにすることができる。この場合、マイクアーム部を片手で把持しかつ、スイッチ部の操作が可能になるので、スイッチ操作をより安定して容易に行うことができる。
【００１３】
また、ケーブルは、イヤホーン本体を外耳孔に装着したときにマイクアーム部が頬に対面する側から延出し、当該ケーブルが湾曲部を形成し垂れ下がるようにすることができる。
【００１４】
マイクロフォンを内蔵するマイクアーム部は、頬との摩擦音などによるノイズを拾わないようにすることが望ましい。また、顎の動きが直接マイクアーム部に伝達され、イヤホーン本体が耳から脱落しないようにすることが望ましい。そのため、頬から所定距離離すことが好ましい。しかし、イヤホーン本体に連設されるマイクアーム部が頬から完全に離れるとイヤホーンマイク全体の重心位置が耳から離れる方向に移動し、イヤホーンマイクの装着安定性が低下する。そこで、マイクアーム部が頬に対面する側からケーブルを延出させ、このケーブルが湾曲部を形成し垂れ下がるようにする。そして、湾曲部を頬に接触させることにより、マイクアーム部が湾曲部によって支持され、イヤホーンマイクの装着安定性を維持することができる。なお、湾曲部は常時頬に完全に接触していることが好ましいが、イヤホーンマイクの装着安定性が悪化する前に頬に接触すれば、常時頬に接触する必要はなく、イヤホーンマイクの脱落や装着不良を防止することができる。
【考案の効果】
【００１５】
本考案によれば、スイッチ部は、イヤホーン本体の背面からマイクアーム部の背面の間のいずれかの位置に配置されているので、スイッチ部の操作時にその操作力は外耳内に向かう方向あるいは頬に向かう方向になる。その結果、スイッチ部の操作によりイヤホーン本体が耳介部分から脱落したり、イヤホーン本体の装着姿勢が崩れたりすることが防止できる。また、スイッチ部の操作をスムーズに行うことができる。
【考案を実施するための最良の形態】
【００１６】
以下、本考案の実施の形態（以下実施形態という）を、図面に基づいて説明する。
【００１７】
図１には、本実施形態のイヤホーンマイク１０の全体図が示されている。本実施形態のイヤホーンマイク１０は、音響機器に接続可能であり、その音響機器が出力する音をイヤホーンで聴くことができると共に、音響機器に音声の入力が可能な場合には、内蔵したマイクロフォンを介して、入力動作を行うことができる。本実施形態の場合、イヤホーンマイク１０に接続する音響機器の一例として、例えば、携帯電話機を例にとり、通話用として利用する例を説明する。
【００１８】
本実施形態のイヤホーンマイク１０は、携帯電話機（不図示）の入出力端子に接続するコネクタ１２と、ユーザの耳の耳介の凹凸部に載せ外耳孔に装着するイヤホーン部１４と、コネクタ１２とイヤホーン部１４とを接続する柔軟なケーブル１６と、で構成されている。ケーブル１６の長さは任意であるが、例えば、携帯電話機をポケットや鞄に入れた状態で利用ができることを考慮すると８０ｃｍ以上が好ましい。
【００１９】
イヤホーン部１４は、図２に拡大図示するように、イヤホーン本体１８と、このイヤホーン本体１８に連設されて、内部にマイクロフォン２０を内蔵したマイクアーム部２２とで構成されている。また、イヤホーン本体１８の背面側には、コネクタ１２に接続された携帯電話機の通話回線の開閉制御を行うスイッチ部２４が配置されている。このスイッチ部２４は、例えばプッシュスイッチを採用することが可能であり、一度の押下により、電話回線の開動作、さらにもう一度の押下により電話回線の閉動作を行うことが可能である。
【００２０】
本実施形態において、マイクアーム部２２に内蔵されたマイクロフォン２０はその集音部をイヤホーンマイク１０を外耳孔に装着した場合に、外側に向くように配置され、ユーザの発する声を効率よく集音できるようにしている。
【００２１】
マイクアーム部２２の長さは、イヤホーン本体１８に内蔵されたスピーカ（不図示）とマイクロフォン２０とがハウリングを起こさない距離、離間させることが必要である。その一方で、マイクアーム部２２はイヤホーン本体１８の付加部材となり、大きすぎるとイヤホーン本体１８を外耳孔に装着した際に脱落の原因になる。そのため、できるだけ、短くすること望ましい。この距離は、イヤホーン本体１８に使用するスピーカとマイクロフォン２０の性能に左右されるので、適宜選択することが好ましいが、本実施形態の場合、例えば３ｃｍ程度以上離すことが望ましい。
【００２２】
本実施形態において、スイッチ部２４は、イヤホーン本体１８の背面に配置されている。そのため、押下操作を行った際、その押下力は外耳内に向かう方向となる。したがって、スイッチ部２４のスイッチ操作によりイヤホーン本体１８が耳介部分から脱落したり、イヤホーン本体１８の装着姿勢が崩れたりすることが防止できる。
【００２３】
また、図３に示すようにマイクアーム部２２を親指および中指でつまみ、人差し指でスイッチ部２４を操作することにより、十分な押下力をスイッチ部２４に伝達し、より安定したスイッチ部２４の押下操作を行うことができる。したがって、スイッチ部２４は、マイクアーム部２２を親指および中指で把持したときに、他の指例えば人差し指で操作可能な範囲に配置すること好ましい。このような範囲にスイッチ部２４を配置することにより、片手で安定したスイッチ部２４の押下操作を行うことができる。本実施形態の場合、親指と中指でマイクアーム部２２を把持した場合、その把持部から３ｃｍ以内が好ましい。
【００２４】
以上の理由から、スイッチ部２４の配置は、イヤホーン本体１８の背面とすることが、好適であるが、例えば、イヤホーン本体１８の背面からマイクアーム部２２の背面の間のいずれかの位置に配置することができる。この場合、イヤホーン本体１８の背面から離れるほど、押下操作時の安定性は低くなるが、図３のようにマイクアーム部２２の把持を行うことにより、安定性の低下は抑制することができる。
【００２５】
ところで、マイクロフォン２０を内蔵するマイクアーム部２２は、ユーザの頬と接触していると、通話中の顎の動きなどにより摩擦音が発生する可能性がある。この場合、この摩擦音がノイズとしてマイクロフォンに拾われてしまう。また、顎の動きが直接マイクアーム部２２に伝達れた場合、イヤホーン本体１８の耳からの脱落や姿勢不良を招く。そのため、マイクアーム部２２は、頬から所定距離離すことが好ましい。その一方で、イヤホーン本体１８に連設されるマイクアーム部２２が頬から完全に離れるとイヤホーンマイク１０全体の重心位置が耳から離れる方向に移動し、イヤホーンマイクの装着安定性が低下する。
【００２６】
そこで、本実施形態では、図４に示すように、イヤホーンマイク１０のケーブル１６は、イヤホーン本体１８が外耳孔２６に装着されたときにマイクアーム部２２が頬２８に対面する側から延出させている。そして、ケーブル１６が湾曲部３０を形成し垂れ下がるようにしている。さらに、湾曲部３０を頬２８に接触させるようにしている。その結果、マイクアーム部２２が湾曲部３０によって支持される。ケーブル１６の湾曲部３０は弾性変形可能なので、顎の動きなどを吸収するクッションとして機能しつつ、イヤホーンマイク１０の支持を良好に行い装着安定性の向上に寄与することができる。
【００２７】
なお、湾曲部３０は常時頬２８に完全に接触している必要はなく、イヤホーンマイク１０の装着安定性が悪化する前に頬２８に接触すれば、イヤホーンマイク１０の脱落や装着不良の防止を良好に行うことができる。
【００２８】
さらに、例えば、スイッチ部２４がイヤホーン本体１８の背面から離れマイクアーム部２２に偏って配置される場合でも、スイッチ部２４の押下時に、ケーブル１６の湾曲部３０がユーザの頬２８に当たり、イヤホーンマイク１０の姿勢が大きく変化することを抑制することができる。その結果、安定したスイッチ部２４の押下操作を行えると共に、その後の電話通話を良好に行うことができる。
【００２９】
このように、スイッチ部をイヤホーン本体の背面からマイクアーム部の背面の間のいずれかの位置配置することにより、スイッチ部の操作時にイヤホーン本体の脱落や姿勢不良を招くことを抑制し、スムーズにスイッチ操作を行うことが可能になる。また、イヤホーン本体を外耳孔に装着したときにマイクアーム部が頬に対面する側からケーブルを延出し、当該ケーブルが湾曲部を形成し垂れ下がるようにすることにより、スイッチ部の操作時の安定性やイヤホーンマイクの装着感の向上を行うことができる。
【００３０】
なお、上述した各図に示すイヤホーンマイクの形状は、一例であり、スイッチ部がイヤホーン本体の背面からマイクアーム部の背面の間のいずれかの位置に配置されていれば、イヤホーン本体の形状やマイクアームの形状、スイッチ部の形状などは適宜変更可能であり、本実施形態と同様な効果を得ることができる。
【００３１】
また、本実施形態では、ケーブルは、湾曲部を除きストレートタイプである場合を示したが、カール状であってもよいし、ケーブルのいずれかの位置に巻取リールを有するものでもよい。また、図１にいて、コネクタ１２には、イヤホーンマイク１０を携帯する場合などに利用するストラップ１２ａが設けられている。特に、ケーブル１６に巻取リールを設け、ケーブル１６を収納した場合には、ストラップ１２ａによる携帯が容易になる。
【００３２】
また、スイッチ部もプッシュタイプの他、トグルタイプなど任意にスイッチを用いることができる。さらに、イヤホーンマイクを接続する音響機器の一例として携帯電話機を示したが、例えば、トランシーバや録音再生機でもよい。また、マイクロフォンの機能を利用ぜず、イヤホーン機能のみを用いるものとしてもよい。例えばラジオやテレビなどに接続してもよい。この場合、スイッチ部はラジオやテレビの電源のオン、オフに利用することができる。
【図面の簡単な説明】
【００３３】
【図１】本実施形態に係るイヤホーンマイクの全体構成を説明する説明図である。
【図２】本実施形態に係るイヤホーンマイクのイヤホーン部の構成を説明する説明図である。
【図３】本実施形態に係るイヤホーンマイクを指で把持し、スイッチ部を操作している状態を説明する説明図である。
【図４】本実施形態に係るイヤホーンマイクを外耳孔に装着した状態を説明する説明図である。
【符号の説明】
【００３４】
１０  イヤホーンマイク、１２  コネクタ、１４  イヤホーン部、１６  ケーブル、１８  イヤホーン本体、２０  マイクロフォン、２２  マイクアーム部、２４  スイッチ部、２６  外耳孔、２８  頬、３０  湾曲部。
【図１】
0003108296.tif 000003
【図２】
0003108296.tif 000004
【図３】
0003108296.tif 000005
【図４】
0003108296.tif 000006